【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】
１フレームを書き込み期間と保持期間からなる複数のサブフレームで構成し、前記保持期間の累積効果で階調表示を行う、画素にスイッチング素子を有するアクティブマトリックス型表示装置の駆動方法において、
表示階調数よりも少ない複数の信号レベルを予め準備しておき、前記スイッチング素子を用いて、デジタル画像データに応じて、前記複数の信号レベルのうちのいずれかの値を選択して信号線を介して出力するとともに、予め定めた１つの走査線に関する各サブフレーム毎の保持期間に、前記予め定めた１つの走査線以外の残余の走査線を、同一走査線に関して同一のサブフレームを書き込まないように予め定めた順序に従ってランダム走査し、１フレーム期間全体としてみると、各走査線それぞれにおいて、前記複数のサブフレーム毎の書き込みが行われ、各サブフレーム毎の保持期間が確保されて階調表示駆動が行われることを特徴とするアクティブマトリクス型表示装置の駆動方法。
【請求項２】
１フレームを書き込み期間と保持期間からなる複数のサブフレームＳＦ１，ＳＦ２，…，ＳＦｎ（ｎは自然数）で構成し、前記保持期間の累積効果で階調表示を行う、画素にスイッチング素子を有するアクティブマトリックス型表示装置の駆動方法において、
表示階調数よりも少ない複数の信号レベルを予め準備しておき、前記スイッチング素子を用いて、デジタル画像データに応じて、前記複数の信号レベルのうちのいずれかの値を選択して信号線を介して出力するとともに、前記サブフレーム期間の選択順序がＳＦ１→ＳＦ２→・・・→ＳＦｎ→ＳＦ１→ＳＦ２→・・・→ＳＦｎと循環するように走査線を選択することを特徴とするアクティブマトリクス型表示装置の駆動方法。
【請求項３】
１フレームを書き込み期間と保持期間からなる複数のサブフレームＳＦ１，ＳＦ２，…，ＳＦｎ（ｎは自然数）で構成し、前記保持期間の累積効果で階調表示を行う、画素にスイッチング素子を有するアクティブマトリックス型表示装置の駆動方法において、
表示階調数よりも少ない複数の信号レベルを予め準備しておき、前記スイッチング素子を用いて、デジタル画像データに応じて、前記複数の信号レベルのうちのいずれかの値を選択して信号線を介して出力するとともに、前記サブフレーム期間の選択順序がＳＦ１→ＳＦ２→・・・→ＳＦｎ→ＳＦ１→ＳＦ２→・・・→ＳＦｎと循環し、かつ１つの前記サブフレーム期間について見れば順次走査となるように走査線を選択することを特徴とするアクティブマトリクス型表示装置の駆動方法。
【請求項４】
１フレームを書き込み期間と保持期間からなる複数のサブフレームで構成し、前記保持期間の累積効果で階調表示を行う、画素にスイッチング素子を有するアクティブマトリックス型表示装置の駆動方法において、表示階調数よりも少ない複数の信号レベルを予め準備しておき、前記スイッチング素子を用いて、デジタル画像データに応じて、
前記複数の信号レベルのうちのいずれかの値を選択して信号線を介して出力するとともに、サブフレーム数をＮ、水平走査期間をＨ、保持期間の重み付けを１：２：４：・・・：２の（Ｎ−１）乗、走査線数をＬ、正の整数をＫとしたとき、前記フレーム期間をＮＨ（１＋Ｋ（２のＮ乗−１））＝ＮＨＬと設定して駆動すること特徴とするアクティブマトリクス型表示装置の駆動方法。
【請求項５】
１フレームを書き込み期間と保持期間からなる複数のサブフレームで構成し、前記保持期間の累積効果で階調表示を行う、画素にスイッチング素子を有するアクティブマトリックス型表示装置の駆動方法において、
表示階調数よりも少ない複数の信号レベルを予め準備しておき、前記スイッチング素子を用いて、デジタル画像データに応じて、前記複数の信号レベルのうちのいずれかの値を選択して信号線を介して出力するとともに、サブフレーム数をＮ、水平走査期間をＨ、ｉ番目のサブフレーム期間における保持期間の重み付けをＫ（ｉ）（但し、ｉ＝１，２，…，Ｎとする）、走査線数をＬとしたとき、前記フレーム期間をＮＨ（１＋ΣＫ（ｉ））＝ＮＨＬと設定して駆動することを特徴とするアクティブマトリクス型表示装置の駆動方法。
【請求項６】
１フレームを書き込み期間と保持期間からなる複数のサブフレームで構成し、前記保持期間の累積効果で階調表示を行う、画素にスイッチング素子を有するアクティブマトリックス型表示装置の駆動方法において、
表示階調数よりも少なく且つ３以上の複数の信号レベルを予め準備しておき、前記スイッチング素子を用いて、デジタル画像データに応じて、前記複数の信号レベルのうちのいずれかの値を選択して信号線を介して出力するとともに、１つの階調に対して前記１フレーム期間にとり得る前記信号レベルの自由度を２とすることを特徴とするアクティブマトリックス型表示装置の駆動方法。
【請求項７】
前記複数の信号レベルを２値とすることを特徴とする請求項１乃至５の何れかに記載のアクティブマトリクス型表示装置の駆動方法。
【請求項８】
前記複数の信号レベルを３以上の複数値とすることを特徴とする請求項１乃至５の何れかに記載のアクティブマトリクス型表示装置の駆動方法。
【請求項９】
マトリクス状に配置された複数の信号線と複数の走査線の各交点に対応してスイッチング素子、前記スイッチング素子に接続された画素電極、および前記画素電極に接続された蓄積容量が形成された第１の基板と、前記第１の基板と液晶層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少ない複数の電圧レベルを予め準備しておき、前記スイッチング素子を用いて、デジタル画像データに応じて、前記複数の電圧レベルのうちのいずれかの値を選択して前記信号線を介して出力する信号線駆動回路と、前記複数の走査線のうち予め定めた１つの走査線に関する各サブフレーム毎の保持期間に、前記予め定めた１つの走査線以外の残余の走査線を、同一走査線に関して同一のサブフレームを書き込まないように予め定めた順序に従ってランダム走査する走査線駆動回路と、を有し、
１フレーム期間全体としてみると、各走査線それぞれにおいて、前記複数のサブフレーム毎の書き込みが行われ、各サブフレーム毎の保持期間が確保されて階調表示駆動が行われることを特徴とするアクティブマトリックス型表示装置。
【請求項１０】
マトリクス状に配置された複数の信号線と複数の走査線の各交点に対応してスイッチング素子、前記スイッチング素子に接続された画素電極、および前記画素電極に接続された蓄積容量が形成された第１の基板と、前記第１の基板と液晶層を介して対峙する対向電極が形成された第２の基板とを備え、１フレームを書き込み期間と保持期間からなる複数のサブフレームＳＦ１，ＳＦ２，…，ＳＦｎ（ｎは自然数）で構成し、前記保持期間の累積効果で階調表示を行うアクティブマトリックス型表示装置において、
表示階調数よりも少ない複数の電圧レベルを予め準備しておき、前記スイッチング素子を用いて、デジタル画像データに応じて、前記複数の電圧レベルのうちのいずれかの値を選択して前記信号線を介して出力する信号線駆動回路と、前記サブフレーム期間の選択順序がＳＦ１→ＳＦ２→・・・→ＳＦｎ→ＳＦ１→ＳＦ２→・・・→ＳＦｎと循環するように前記走査線を選択する走査線駆動回路と、を有することを特徴とするアクティブマトリクス型表示装置。
【請求項１１】
マトリクス状に配置された複数の信号線と複数の走査線の各交点に対応してスイッチング素子、前記スイッチング素子に接続された画素電極、および前記画素電極に接続された蓄積容量が形成された第１の基板と、前記第１の基板と液晶層を介して対峙する対向電極が形成された第２の基板とを備え、１フレームを書き込み期間と保持期間からなる複数のサブフレームＳＦ１，ＳＦ２，…，ＳＦｎ（ｎは自然数）で構成し、前記保持期間の累積効果で階調表示を行うアクティブマトリックス型表示装置において、
表示階調数よりも少ない複数の電圧レベルを予め準備しておき、前記スイッチング素子を用いて、デジタル画像データに応じて、前記複数の電圧レベルのうちのいずれかの値を選択して前記信号線を介して出力する信号線駆動回路と、前記サブフレーム期間の選択順序がＳＦ１→ＳＦ２→・・・→ＳＦｎ→ＳＦ１→ＳＦ２→・・・→ＳＦｎと循環し、かつ１つの前記サブフレーム期間について見れば順次走査となるように前記走査線を選択する走査線駆動回路と、を有することを特徴とするアクティブマトリクス型表示装置。
【請求項１２】
マトリクス状に配置された複数の信号線と複数の走査線の各交点に対応してスイッチング素子、前記スイッチング素子に接続された画素電極、および前記画素電極に接続された蓄積容量が形成された第１の基板と、前記第１の基板と液晶層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少ない複数の電圧レベルを予め準備しておき、前記スイッチング素子を用いて、デジタル画像データに応じて、前記複数の電圧レベルのうちのいずれかの値を選択して前記信号線を介して出力する信号線駆動回路と、サブフレーム数をＮ、水平走査期間をＨ、保持期間の重み付けを１：２：４：・・・：２の（Ｎ−１）乗、走査線数をＬ、正の整数をＫとしたとき、前記フレーム期間をＮＨ（１＋Ｋ（２のＮ乗−１））＝ＮＨＬとなるように、前記走査線を選択する走査線駆動回路と、を有することを特徴とするアクティブマトリクス型表示装置。
【請求項１３】
マトリクス状に配置された複数の信号線と複数の走査線の各交点に対応してスイッチング素子、前記スイッチング素子に接続された画素電極、および前記画素電極に接続された蓄積容量が形成された第１の基板と、前記第１の基板と液晶層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少ない複数の電圧レベルを予め準備しておき、前記スイッチング素子を用いて、デジタル画像データに応じて、前記複数の電圧レベルのうちのいずれかの値を選択して前記信号線を介して出力する信号線駆動回路と、サブフレーム数をＮ、水平走査期間をＨ、ｉ番目のサブフレーム期間における保持期間の重み付けをＫ（ｉ）（但し、ｉ＝１，２，…，Ｎとする）、走査線数をＬとしたとき、前記フレーム期間をＮＨ（１＋ΣＫ（ｉ））＝ＮＨＬとなるように、前記走査線を選択する走査線駆動回路と、を有することを特徴とするアクティブマトリクス型表示装置。
【請求項１４】
マトリクス状に配置された複数の信号線と複数の走査線の各交点に対応してスイッチング素子、前記スイッチング素子に接続された画素電極、および前記画素電極に接続された蓄積容量が形成された第１の基板と、前記第１の基板と液晶層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少なく且つ３以上の複数の電圧レベルを予め準備しておき、前記スイッチング素子を用いて、デジタル画像データに応じて、前記複数の電圧レベルのうちのいずれかの値を選択し、しかも１つの階調に対して前記１フレーム期間にとり得る前記複数の電圧レベルの自由度を２とするような選択を行い、この選択された電圧値を前記信号線を介して出力する信号線駆動回路と、前記走査線を順次走査又はランダム走査する走査線駆動回路と、を有することを特徴とするアクティブマトリクス型表示装置。
【請求項１５】
前記複数の電圧レベルを２値とすることを特徴とする請求項９乃至１３の何れかに記載のアクティブマトリクス型表示装置。
【請求項１６】
前記複数の電圧レベルを３以上の複数値とすることを特徴とする請求項９乃至１３の何れかに記載のアクティブマトリクス型表示装置。
【請求項１７】
前記信号線駆動回路が複数の前記電圧レベルから１値を選択して出力するアナログマルチプレクサを含むことを特徴とする請求項９乃至１４の何れかに記載のアクティブマトリクス型表示装置。
【請求項１８】
前記走査線駆動回路が入力されるアドレス信号に従って走査線を選択するデコーダを含むことを特徴とする請求項９乃至１４の何れかに記載のアクティブマトリクス型表示装置。
【請求項１９】
前記スイッチング素子が３端子の薄膜トランジスタで構成されることを特徴とする請求項９乃至１４の何れかに記載のアクティブマトリクス型表示装置。
【請求項２０】
前記対向電極を前記信号線駆動回路の出力信号に同期して水平走査期間の整数倍の周期で反転駆動することを特徴とする請求項９乃至１４の何れかに記載のアクティブマトリクス型表示装置。
【請求項２１】
前記走査線駆動回路の出力を４値とし、容量結合駆動を行うことを特徴とする請求項９乃至１４の何れかに記載のアクティブマトリクス型表示装置。
【請求項２２】
前記走査線駆動回路の出力を２値とし、前記蓄積容量を２値で独立に駆動することにより容量結合駆動を行うことを特徴とする請求項９乃至１４の何れかに記載のアクティブマトリクス型表示装置。
【請求項２３】
マトリクス状に配置された複数の信号線と複数の走査線の各交点に対応して第１のスイッチング素子、前記第１のスイッチング素子に接続された第２のスイッチング素子、前記第２のスイッチング素子に接続された画素電極および前記第２のスイッチング素子に前記画素電極と異なる側に接続された電源供給線が形成された第１の基板と、前記第１の基板と発光層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少ない複数の電圧レベルを予め準備しておき、前記第１及び第２スイッチング素子を用いて、デジタル画像データに応じて、前記複数の電圧レベルのうちのいずれかの値を選択して前記信号線を介して出力する信号線駆動回路と、前記複数の走査線のうち予め定めた１つの走査線に関する各サブフレーム毎の保持期間に、前記予め定めた１つの走査線以外の残余の走査線を、同一走査線に関して同一のサブフレームを書き込まないように予め定めた順序に従ってランダム走査する走査線駆動回路と、を有し、１フレーム期間全体としてみると、各走査線それぞれにおいて、前記複数のサブフレーム毎の書き込みが行われ、各サブフレーム毎の保持期間が確保されて階調表示駆動が行われることを特徴とするアクティブマトリックス型表示装置。
【請求項２４】
マトリクス状に配置された複数の信号線と複数の走査線の各交点に対応して第１のスイッチング素子、前記第１のスイッチング素子に接続された第２のスイッチング素子、前記第２のスイッチング素子に接続された画素電極および前記第２のスイッチング素子に前記画素電極と異なる側に接続された電源供給線が形成された第１の基板と、前記第１の基板と発光層を介して対峙する対向電極が形成された第２の基板とを備え、１フレームを書き込み期間と保持期間からなる複数のサブフレームＳＦ１，ＳＦ２，…，ＳＦｎ（ｎは自然数）で構成し、前記保持期間の累積効果で階調表示を行うアクティブマトリックス型表示装置において、
表示階調数よりも少ない複数の電圧レベルを予め準備しておき、前記第１及び第２スイッチング素子を用いて、デジタル画像データに応じて、前記複数の電圧レベルのうちのいずれかの値を選択して前記信号線を介して出力する信号線駆動回路と、前記サブフレーム期間の選択順序がＳＦ１→ＳＦ２→・・・→ＳＦｎ→ＳＦ１→ＳＦ２→・・・→ＳＦｎと循環するように前記走査線を選択する走査線駆動回路と、を有することを特徴とするアクティブマトリクス型表示装置。
【請求項２５】
マトリクス状に配置された複数の信号線と複数の走査線の各交点に対応して第１のスイッチング素子、前記第１のスイッチング素子に接続された第２のスイッチング素子、前記第２のスイッチング素子に接続された画素電極および前記第２のスイッチング素子に前記画素電極と異なる側に接続された電源供給線が形成された第１の基板と、前記第１の基板と発光層を介して対峙する対向電極が形成された第２の基板とを備え、１フレームを書き込み期間と保持期間からなる複数のサブフレームＳＦ１，ＳＦ２，…，ＳＦｎ（ｎは自然数）で構成し、前記保持期間の累積効果で階調表示を行うアクティブマトリックス型表示装置において、
表示階調数よりも少ない複数の電圧レベルを予め準備しておき、前記第１及び第２スイッチング素子を用いて、デジタル画像データに応じて、前記複数の電圧レベルのうちのいずれかの値を選択して前記信号線を介して出力する信号線駆動回路と、
前記サブフレーム期間の選択順序がＳＦ１→ＳＦ２→・・・→ＳＦｎ→ＳＦ１→ＳＦ２→・・・→ＳＦｎと循環し、かつ１つの前記サブフレーム期間について見れば順次走査となるように前記走査線を選択する走査線駆動回路と、を有することを特徴とするアクティブマトリクス型表示装置。
【請求項２６】
マトリクス状に配置された複数の信号線と複数の走査線の各交点に対応して第１のスイッチング素子、前記第１のスイッチング素子に接続された第２のスイッチング素子、前記第２のスイッチング素子に接続された画素電極および前記第２のスイッチング素子に前記画素電極と異なる側に接続された電源供給線が形成された第１の基板と、前記第１の基板と発光層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少ない複数の電圧レベルを予め準備しておき、前記第１及び第２スイッチング素子を用いて、デジタル画像データに応じて、前記複数の電圧レベルのうちのいずれかの値を選択して前記信号線を介して出力する信号線駆動回路と、サブフレーム数をＮ、水平走査期間をＨ、保持期間の重み付けを１：２：４：・・・：２の（Ｎ−１）乗、走査線数をＬ、正の整数をＫとしたとき、前記フレーム期間をＮＨ（１＋Ｋ（２のＮ乗−１））＝ＮＨＬとなるように、前記走査線を選択する走査線駆動回路と、を有することを特徴とするアクティブマトリクス型表示装置。
【請求項２７】
マトリクス状に配置された複数の信号線と複数の走査線の各交点に対応して第１のスイッチング素子、前記第１のスイッチング素子に接続された第２のスイッチング素子、前記第２のスイッチング素子に接続された画素電極および前記第２のスイッチング素子に前記画素電極と異なる側に接続された電源供給線が形成された第１の基板と、前記第１の基板と発光層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少ない複数の電圧レベルを予め準備しておき、前記第１及び第２スイッチング素子を用いて、デジタル画像データに応じて、前記複数の電圧レベルのうちのいずれかの値を選択して前記信号線を介して出力する信号線駆動回路と、サブフレーム数をＮ、水平走査期間をＨ、ｉ番目のサブフレーム期間における保持期間の重み付けをＫ（ｉ）（但し、ｉ＝１，２，…，Ｎとする）、走査線数をＬとしたとき、前記フレーム期間をＮＨ（１＋ΣＫ（ｉ））＝ＮＨＬとなるように、前記走査線を選択する走査線駆動回路と、を有することを特徴とするアクティブマトリクス型表示装置。
【請求項２８】
マトリクス状に配置された複数の信号線と複数の走査線の各交点に対応して第１のスイッチング素子、前記第１のスイッチング素子に接続された第２のスイッチング素子、前記第２のスイッチング素子に接続された画素電極および前記第２のスイッチング素子に前記画素電極と異なる側に接続された電源供給線が形成された第１の基板と、前記第１の基板と発光層を介して対峙する対向電極が形成された第２の基板とを備え、１フレームを書き込み期間と保持期間からなる複数のサブフレームで構成し、前記保持期間の累積効果で階調表示を行うアクティブマトリックス型表示装置において、
表示階調数よりも少なく且つ３以上の複数の電圧レベルを予め準備しておき、前記第１及び第２スイッチング素子を用いて、デジタル画像データに応じて、前記複数の電圧レベルのうちのいずれかの値を選択し、しかも１つの階調に対して前記１フレーム期間にとり得る前記複数の電圧レベルの自由度を２とするような選択を行い、この選択された電圧値を前記信号線を介して出力する信号線駆動回路と、前記走査線を順次走査又はランダム走査する走査線駆動回路と、を有することを特徴とするアクティブマトリクス型表示装置。
【請求項２９】
前記複数の電圧レベルを２値とすることを特徴とする請求項２３乃至２７の何れかに記載のアクティブマトリクス型表示装置。
【請求項３０】
前記複数の電圧レベルを３以上の複数値とすることを特徴とする請求項２３乃至２７の何れかに記載のアクティブマトリクス型表示装置。
【請求項３１】
前記信号線駆動回路が複数の前記電圧レベルから１値を選択して出力するアナログマルチプレクサを含むことを特徴とする請求項２３乃至２８の何れかに記載のアクティブマトリクス型表示装置。
【請求項３２】
前記走査線駆動回路が入力されるアドレス信号に従って走査線を選択するデコーダを含むことを特徴とする請求項２３乃至２８の何れかに記載のアクティブマトリクス型表示装置。
【請求項３３】
前記第１及び第２のスイッチング素子が３端子の薄膜トランジスタで構成されることを特徴とする請求項２３乃至２８の何れかに記載のアクティブマトリクス型表示装置。